(57)【要約】【課題】セキュリティ性の高い認証装置をより小型構成で実現する。【解決手段】認証装置１０は、通信対象を検出する検出領域が定められると共に、当該認証装置１０に翳された通信対象の対向領域（通信対象における検出領域に向かい合う領域）を検出する対向領域検出手段が設けられている。更に、検出される対向領域の変化に基づいて通信対象の翳し動作パターンを検出し、その検出された翳し動作パターンが所定パターンであるか否かを判断しており、検出された翳し動作パターンが、所定パターンであると判断された場合に通信対象を認証する構成をなしている。【選択図】図１
2010090582.tif 000002
【特許請求の範囲】
【請求項１】
非接触通信媒体を備えた通信対象との間で非接触通信を行い、前記非接触通信媒体に記録されるデータを読み出す読出手段と、
前記通信対象の認証を行う認証手段と、
を備えた認証装置であって、
前記通信対象を検出する検出領域が定められると共に、当該認証装置に翳された前記通信対象における前記検出領域に向かい合う対向領域を検出する対向領域検出手段と、
前記対向領域検出手段によって検出される前記対向領域の変化に基づいて前記通信対象の翳し動作パターンを検出する動作パターン検出手段と、
前記動作パターン検出手段によって検出された前記翳し動作パターンが所定パターンであるか否かを判断する判断手段と、
を備え、
前記認証手段は、前記動作パターン検出手段によって検出された前記翳し動作パターンが、前記判断手段により前記所定パターンであると判断された場合に前記通信対象を認証することを特徴とする認証装置。
【請求項２】
前記動作パターン検出手段は、前記対向領域検出手段によって検出される前記対向領域の大きさ及び位置の変化に基づいて前記通信対象の前記翳し動作パターンを検出することを特徴とする請求項１に記載の認証装置。
【請求項３】
前記対向領域検出手段は、複数の検出部を備え、これら複数の検出部が散在する領域が前記検出領域とされており、
前記検出部は、当該検出部に対して前記通信対象が対向したときに検出信号を出力することを特徴とする請求項１又は請求項２に記載の認証装置。
【請求項４】
前記検出部は、外部からの光を受光する受光部からなり、
前記受光部は、当該受光部に入射する光が前記通信対象によって遮られたときに前記検出信号を出力することを特徴とする請求項３に記載の認証装置。
【請求項５】
前記対向領域検出手段は、前記対向領域を検出した前記検出部の数に基づいて当該対向領域の面積を算出し、
前記動作パターン検出手段は、前記対向領域検出手段にて検出された前記対向領域の面積の変化に基づいて前記通信対象の前記翳し動作パターンを検出することを特徴とする請求項３又は請求項４に記載の認証装置。
【請求項６】
複数の前記検出部はそれぞれ、固有情報が対応付けられており、
前記動作パターン検出手段は、前記対向領域を検出した前記検出部の前記固有情報に基づいて、前記対向領域の大きさ及び位置を特定することを特徴とする請求項３から請求項５のいずれか一項に記載の認証装置。
【請求項７】
前記対向領域検出手段は、変化する前記対向領域についての各状態ごとの維持時間を検出する維持時間検出手段を有し、
前記動作パターン検出手段は、変化する前記対向領域の各状態ごとの位置及び大きさと、各状態が維持される維持時間とに基づいて前記翳し動作パターンを検出することを特徴とする請求項１から請求項６のいずれか一項に記載の認証装置。
【請求項８】
前記対向領域検出手段は、複数の前記検出部における２以上の前記検出部によって、変化する前記対向領域の各状態を検出する構成をなしており、
変化する前記対向領域のいずれかの状態を検出する２以上の前記検出部の少なくとも一部が、他の状態の検出に兼用されることを特徴とする請求項１から請求項７のいずれか一項に記載の認証装置。
【発明の詳細な説明】
【技術分野】
【０００１】
本発明は、認証装置に関するものである。
【背景技術】
【０００２】
従来より、非接触通信技術を用いた認証装置が提供されている。例えば、特許文献１では、暗証番号開錠式ドアシステムに係る技術が提供されており、キー入力部を備えた認証装置が開示されている。この特許文献１の技術では、特定キー入力手順の他に時間的条件を暗証番号入力条件としており、これにより少ない入力桁数で守秘性を向上させている。
【特許文献１】特開２０００−２６５７１９
【特許文献２】特開２００４−３４１７０２
【発明の開示】
【発明が解決しようとする課題】
【０００３】
上記特許文献１の技術によれば、確かに入力桁数を抑えて守秘性を向上させる効果が得られるが、カードリーダとキー入力部とを併設する必要があるため、読取装置自体が大型化するという問題がある。また、操作容易なキー入力部を実現するには、操作者が指で操作するときに複数のキーが同時に押されにくい程度にピッチを確保しなければならず、操作部全体が大きくならざるを得ない。更に、カードを翳す動作とキー入力動作とが必要となるため、キー入力操作前或いは後にカードを持ち替えたり、或いはカードを持ちながら操作する必要があり、認証作業に手間取る場合もある。
【０００４】
一方、キー入力以外の方法で認証を行う技術として特許文献２が提供されている。この特許文献２では、ＩＣカードを翳す向きについて予め取り決めがなされており、認証対象となるＩＣカードについて検出された方向がその取り決めで定められた方向と一致した場合に当該ＩＣカードを操作する操作者を正規の者として認証している。この構成では、キー入力部を省略できるという効果が得られるものの、単に方向だけを認証判定の要素としているため、取り決めの方向とＩＣカードの検出方向とが偶然に一致する可能性が高く、翳すべき正規方向を知りえない第三者であっても誤って認証されてしまう虞がある。
【０００５】
本発明は、上述した課題を解決するためになされたものであり、セキュリティ性の高い認証装置をより小型構成で実現することを目的とする。
【課題を解決するための手段】
【０００６】
請求項１の発明は、非接触通信媒体を備えた通信対象との間で非接触通信を行い、前記非接触通信媒体に記録されるデータを読み出す読出手段と、前記通信対象の認証を行う認証手段と、を備えた認証装置であって、前記通信対象を検出する検出領域が定められると共に、当該認証装置に翳された前記通信対象における前記検出領域に向かい合う対向領域を検出する対向領域検出手段と、前記対向領域検出手段によって検出される前記対向領域の変化に基づいて前記通信対象の翳し動作パターンを検出する動作パターン検出手段と、前記動作パターン検出手段によって検出された前記翳し動作パターンが所定パターンであるか否かを判断する判断手段と、を備え、前記認証手段は、前記動作パターン検出手段によって検出された前記翳し動作パターンが、前記判断手段により前記所定パターンであると判断された場合に前記通信対象を認証することを特徴とする。
【０００７】
請求項２の発明は、請求項１に記載の認証装置において、前記動作パターン検出手段は、前記対向領域検出手段によって検出される前記対向領域の大きさ及び位置の変化に基づいて前記通信対象の前記翳し動作パターンを検出することを特徴とする。
【０００８】
請求項３の発明は、請求項１又は請求項２に記載の認証装置において、前記対向領域検出手段は、複数の検出部を備え、これら複数の検出部が散在する領域が前記検出領域とされており、前記検出部は、当該検出部に対して前記通信対象が対向したときに検出信号を出力することを特徴とする。
【０００９】
請求項４の発明は、請求項３に記載の認証装置において、前記検出部は、外部からの光を受光する受光部からなり、前記受光部は、当該受光部に入射する光が前記通信対象によって遮られたときに前記検出信号を出力することを特徴とする。
【００１０】
請求項５の発明は、請求項３又は請求項４に記載の認証装置において、前記対向領域検出手段は、前記対向領域を検出した前記検出部の数に基づいて当該対向領域の面積を算出し、前記動作パターン検出手段は、前記対向領域検出手段にて検出された前記対向領域の面積の変化に基づいて前記通信対象の前記翳し動作パターンを検出することを特徴とする。
【００１１】
請求項６の発明は、請求項３から請求項５のいずれか一項に記載の認証装置において、複数の前記検出部はそれぞれ、固有情報が対応付けられており、前記動作パターン検出手段は、前記対向領域を検出した前記検出部の前記固有情報に基づいて、前記対向領域の大きさ及び位置を特定することを特徴とする。
【００１２】
請求項７の発明は、請求項１から請求項６のいずれか一項に記載の認証装置において、前記対向領域検出手段は、変化する前記対向領域についての各状態ごとの維持時間を検出する維持時間検出手段を有し、前記動作パターン検出手段は、変化する前記対向領域の各状態ごとの位置及び大きさと、各状態が維持される維持時間とに基づいて前記翳し動作パターンを検出することを特徴とする。
【００１３】
請求項８の発明は、請求項１から請求項７のいずれか一項に記載の認証装置において、前記対向領域検出手段は、複数の前記検出部における２以上の前記検出部によって、変化する前記対向領域の各状態を検出する構成をなしており、変化する前記対向領域のいずれかの状態を検出する２以上の前記検出部の少なくとも一部が、他の状態の検出に兼用されることを特徴とする。
【発明の効果】
【００１４】
請求項１の発明は、通信対象における対向領域（検出領域に対向する領域）を検出し、検出される対向領域の変化に基づいて通信対象の翳し動作パターンを検出しており、この構成によれば、通信対象に対してどのような翳し動作がなされたかをより精度高く検出できる。更に、その検出された翳し動作パターンが所定パターンであるか否かを判断し、所定パターンであると判断された場合に通信対象を認証している。このようにすると、キー入力部を設けることなく認証システムを構築でき、装置構成の小型化を図りやすくなる。また、単に翳された方向のみを検出するのではなく、翳し動作パターンを検出しこれを認証に用いているため、翳し方向のみによって判定する構成と比較して偶然の一致をより低くすることができ、セキュリティ性を効果的に高めることができる。
【００１５】
請求項２の発明は、対向領域検出手段によって検出される対向領域の大きさ及び位置の変化に基づいて通信対象の翳し動作パターンを検出している。このように対向領域の大きさ及び位置の変化によって翳し動作パターンを把握する構成とすると、第三者（予め定められた「所定パターン」を知らない者）の翳し動作が所定パターンと偶然に一致する可能性を極めて低くすることができ、セキュリティ性をより一層高めることができる。
【００１６】
請求項３の発明は、複数の検出部が設けられると共にこれら複数の検出部が散在する領域が検出領域とされている。また、検出部は、当該検出部に対して通信対象が対向したときに検出信号を出力するように構成されている。このようにすると、大掛かりな構成を用いることなく対向領域の変化をより精度高く検出できるようになる。
【００１７】
請求項４の発明は、検出部が外部からの光を受光する受光部からなり、この受光部は、当該受光部に入射する光が通信対象によって遮られたときに検出信号を出力する構成をなしている。このようにすると、非接触通信を行うときに必要な動作の性質（即ち非接触通信媒体が検出領域に近接して検出領域を遮光するという性質）を利用して対向領域の変化を簡易且つ良好に検出できるようになる。
【００１８】
請求項５の発明は、対向領域を検出した検出部の数に基づいて当該対向領域の面積を算出し、このように算出される面積の変化に基づいて通信対象の翳し動作パターンを検出している。このようにすると、大掛かりな構成や複雑な構成を用いることなく対向領域の位置をより正確に特定でき、規定された動作がなされたか否かをより精度高く判断できる。
【００１９】
請求項６の発明は、複数の検出部にそれぞれ固有情報が対応付けられており、対向領域を検出した検出部の固有情報に基づいて、対向領域の大きさ及び位置を特定している。このようにすると、対向領域の大きさや位置を簡易かつ迅速に特定でき、ひいては翳し動作パターンを簡易かつ迅速に検出できる。
【００２０】
請求項７の発明は、変化する対向領域についての各状態ごとの維持時間を検出する維持時間検出手段が設けられ、変化する対向領域の各状態ごとの位置及び大きさと、各状態が維持される維持時間とに基づいて翳し動作パターンを検出している。このように、位置や大きさのみならず、各状態の維持時間をも判断要素とすれば、複雑な構成や大掛かりな構成を用いることなく翳し動作のバリエーションをより増やすことができ、セキュリティ性をより一層高めることができる。
【００２１】
請求項８の発明は、複数の検出部における２以上の検出部によって、変化する対向領域の各状態を検出する構成をなしており、変化する対向領域のいずれかの状態を検出する２以上の検出部の少なくとも一部が、他の状態の検出に兼用されている。このようにすると、対向領域についてのより小さな位置変化を検出できるようになり、規定された動作がなされたか否かをより精度高く判断できる。
【発明を実施するための最良の形態】
【００２２】
[第１実施形態]
以下、本発明の認証装置を具現化した第１実施形態について、図面を参照して説明する。
図１（ａ）は、第１実施形態に係る認証装置を用いたドア管理システムを例示する説明図であり、図１（ｂ）は、図１（ａ）のドア管理システムのブロック図である。図２は、第１実施形態に係る認証装置を概略的に説明する説明図であり、図３は、図２の認証装置の検出部付近を概略的に説明する説明図である。図４は、ユーザ登録処理を例示するフローチャートであり、図５は、図４のユーザ登録処理によって登録されたデータ構成を例示する説明図である。図６は、認証処理を例示するフローチャートである。図７は、各受光部の固有情報等を説明する説明図であり、図８は、ユーザによる翳し動作の一例を説明する説明図であり、（ａ）は、第１回目の翳し動作と検出領域との関係を説明する説明図であり、（ｂ）は第２回目の翳し動作と検出領域との関係を説明する説明図である。図９は、図８に続く翳し動作を説明する説明図であり、（ａ）は、第３回目の翳し動作と検出領域との関係を説明する説明図であり、（ｂ）は第４回目の翳し動作と検出領域との関係を説明する説明図である。図１０は、対向領域の変化を説明する説明図である。
【００２３】
図１に示すドア管理システム１は、非接触型ＩＣカードを認証する認証装置１０と、入室管理コントローラ２と、施錠装置３によって構成されている。
入室管理コントローラ２は、ＣＰＵ及び記憶手段（ＲＯＭ，ＲＡＭ等）を備えた情報処理装置として構成されており、施錠装置３と電気的に接続され、施錠装置３に対して開錠や施錠を指示する制御信号を出力する構成をなしている。また、認証装置１０とも電気的に接続されており、認証装置１０から認証信号等を取得し得る構成となっている。
【００２４】
施錠装置３は、図１（ｂ）に示すように、電気的信号に応じた施錠及び開錠が可能な電気錠５と、この電気錠５を制御する制御部４とを備えた公知の電気錠装置として構成されており、入室管理コントローラ２とインターフェース（図示略）を介して接続されている。電気錠５は、たとえばデッドボルトを有し、モータやソレノイドなどのアクチュエータによってデッドボルトを進退させることによって対象物の施解錠を行うものなどを採用することができる。なお、ここでは施錠装置の一例を挙げたが、入室管理コントローラ２からの制御信号に応じて開錠状態又は施錠状態に変化しうる構成であれば公知の様々な電気錠装置を採用できる。
【００２５】
次に、認証装置１０について説明する。
認証装置１０は、非接触通信媒体を備えた通信対象（図１の例ではＩＣカード７）と通信を行い、所定条件が成立したときに当該通信対象を認証するものである。この認証装置１０は、図２に示すように、制御部１２と、ＩＣカードリーダ１３と、翳し動作検出装置２０（以下、単に検出装置２０ともいう）と、表示ＬＥＤ１１と、電源部１４とを備えた構成をなしている。なお、図２で示した構成以外に、ＲＯＭ，ＲＡＭ等の記憶手段などが設けられているが、一部部品については省略して示している。
【００２６】
制御部１２は、ＣＰＵによって構成されており、認証装置１０内の全体的制御を司る構成をなしている。この制御部１２には、入室管理コントローラ２（図１）が接続されており、ＩＣカード７を認証したときに入室管理コントローラ２に対して認証信号を出力する構成となっている。
なお、本実施形態では、制御部１２が「認証手段」の一例に相当する。
【００２７】
ＩＣカードリーダ１３は、ＩＣチップ（非接触通信媒体）を備えたＩＣカード７と非接触通信を行う公知のＩＣカードリーダとして構成されており、ＩＣカード７が通信可能範囲にあるときにＩＣカード７の読み取り或いは書き込みを行う構成をなしている。なお、図３に示すようにＩＣカードリーダ１３のアンテナ１４は、後述する翳し動作検出装置２０付近に配置されており、ＩＣカード７が翳し動作検出装置２０に接近したときにこのＩＣカード７と非接触通信を行うようになっている。
なお、本実施形態では、ＩＣカードリーダ１３が「読出手段」の一例に相当し、ＩＣカード７のＩＣチップ（非接触通信媒体）に記録されるデータを読み出すように機能している。
【００２８】
翳し動作検出装置２０は、図３のように外壁をなすケース体２０ａが設けられており、このケース体２０ａから複数の検出部２１ａ〜２１ｖが露出するように設けられている。各検出部２１ａ〜２１ｖは、いずれも、外部からの光を受光し受光量に応じた電気信号を出力する受光素子（例えばフォトダイオード等）によって構成されている。なお、本実施形態では、各検出部２１ａ〜２１ｖがぞれぞれ「受光部」に相当している。
【００２９】
これら複数の検出部２１ａ〜２１ｖは、それぞれケース体２０ａに形成された孔を介してケース体２０ａ外部に露出するように配置され、各孔を通ってケース体２０ａ内部に入り込む光が各検出部２１ａ〜２１ｖに受光されるようになっている。即ち、各孔が遮光されたときには、その遮光された位置の検出部の受光量が低減するようになっており、どの検出部の受光量が低減しているのかを把握することによってどの位置が通信対象によって覆われているのか（即ち、どの位置に通信対象が対向しているのか）を検出できるようになっている。なお、検出部２１ａ〜２１ｖが散在する領域がＩＣカード７（通信対象）の翳し動作を検出する「検出領域」に相当し、図３では、一点鎖線ＡＲによってこの「検出領域」を示している。
【００３０】
このように構成される各検出部２１ａ〜２１ｖは、ＩＣカード７（通信対象）が対向して各検出部２１ａ〜２１ｖに入射する光が当該ＩＣカード７によって遮られたときにそれぞれ検出信号（低い受光量を示す信号）を出力するようになっている。例えば検出部２１ａを覆うようにＩＣカード７が対向して配置されたときには検出部２１ａの受光量が低減し、検出部２１ａから制御部１２に対して低い受光量を示す信号が出力されるようになっている。同様に、検出部２１ｖの位置にＩＣカード７が対向して配置されたときには検出部２１ｖの受光量が低減し、検出部２１ｖから制御部１２に対して低い受光量を示す信号が出力されるようになっている。他の受光部２１ｂ〜２１ｕでも同様である。
【００３１】
表示ＬＥＤ１１は、２つのＬＥＤ１１ａ、１１ｂによって構成されている。これらＬＥＤ１１ａ、１１ｂは、制御部１２によって点灯の制御がなされるようになっており、本実施形態では、ＩＣカード７を認証したときに制御部１２によってＬＥＤ１１ａを点灯する制御がなされ、ＩＣカード７の認証が失敗したときに制御部１２によってＬＥＤ１１ｂを点灯する制御がなされるようになっている。
【００３２】
電源部１４は、認証装置１０内の各種電気部品に電力を供給する部分であり、例えば商用電源からの電力供給を受けて基準電圧を発生させる公知の電源回路によって構成されている。
【００３３】
次に、認証装置１０によるＩＣカード７の認証について説明する。
まず、図４を参照してユーザ登録処理について説明する。ユーザ登録処理は、認証装置１０がユーザ登録モードに設定されているときに実行される処理である。なお、図１等に示す認証装置１０は、ユーザ登録モードと認証モードとに切り替え可能となっており、このような切り替えを入室管理コントローラ２の制御によって行う構成とすることができる。
【００３４】
例えば、入室管理コントローラ２に図示しない操作部を設け、この操作部にてユーザ登録用の所定操作がなされたときに入室管理コントローラ２から制御部１２に対してユーザ登録モード設定命令が出力され、この命令に応じて認証装置１０がユーザ登録モードに設定される構成とすることができる。また、上記操作部にて認証モード用の所定操作がなされたときに入室管理コントローラ２から制御部１２に対して認証モード設定命令が出力され、この命令に応じて認証装置１０が認証モードに設定される構成とすることができる。
【００３５】
図４に示すように、ユーザ登録処理が開始されると、まずカードＩＤ読出し判断処理が行われる（Ｓ１）。このＳ１の処理は、ユーザが認証装置１０にＩＣカード７を翳す登録操作を行ったか否か、及びＩＣカードリーダ１３がその翳されたＩＣカード７からカードＩＤを読み取ったか否かを判断する処理である。
【００３６】
ＩＣカードリーダ１３によってＩＣカード７のカードＩＤが取得されたときにはＳ１にてＹｅｓに進み、その取得したカードＩＤの登録処理を行う（Ｓ２）。この登録処理は、上記のように取得されたカードＩＤを認証装置１０内の記憶手段（図示略）に記憶する処理である。
【００３７】
その後、検出装置２０に対して翳し動作がなされているか否かを判断する処理を行う（Ｓ３）。検出装置２０に対して翳し動作がなされているか否かの判断は、検出部２１ａ〜２１ｖのいずれかから遮光状態を示す信号が出力されているか否かを判断することによって行われる。本実施形態では、各受光部が遮光状態であるか否かを判定する基準となる閾値Ｓｖが定められており、いずれかの検出部から閾値Ｓｖ以下の信号が出力されている場合にはＳ３にてＮｏに進み、ＩＣカード７が翳されている時間を計測する処理（以下、計時処理ともいう）を開始する（Ｓ４）。そして、全検出部（全センサ）が正常な受光状態となっているか否か（即ち、全検出部が遮光されていないか否か）を判断し、全検出部が正常な受光状態となったときにはＳ５にてＹｅｓに進み、Ｓ６の記録処理を行う。
【００３８】
Ｓ６では、計時処理を停止し、Ｓ４の計時処理開始からその計時処理停止までに計測された時間（即ち、ＩＣカード７が検出装置２０に翳されていた時間）を記録する。たとえば、Ｓ４の計時処理開始からＳ６の計時停止までの時間が１ｓであれば、この１ｓというデータを当該認証装置２０の記憶手段（図示略）に記録する。
【００３９】
更に、Ｓ３〜Ｓ５までの翳し動作中に遮光されていた検出部の数（遮光センサ数）と、遮光されていた検出部の固有情報（該当センサＮｏ）とを記録する。本実施形態では、図７に示すように、複数の検出部２１ａ〜２１ｖにそれぞれ固有情報としての番号が対応付けられており、Ｓ６では、遮光されていた検出部の番号が記憶される。
【００４０】
例えば、図８（ａ）のように、検出部２１ｉ、２１ｊ、２１ｎ、２１ｐ、２１ｓ、２１ｔが遮光された場合、これらの番号（固有情報）はそれぞれ、９、１０、１３、１４、１７、１８であるので、このような遮光状態の場合に、遮光検出部数「６」と、これらの番号「９、１０、１３、１４、１７、１８」が当該認証装置１０の記憶手段（図示略）に記憶される。  
【００４１】
その後、Ｓ６の記録が所定回数行われたか否かを判断し（Ｓ７）、所定回数行われていない場合にはＳ７にてＮｏに進み、回数をインクリメントしてＳ３以降の処理を繰り返す。一方、Ｓ６の記録が所定回数行われた場合にはＳ７にてＹｅｓに進み当該処理を終了する。なお、Ｓ７の判断基準となる「所定回数」は、登録処理において翳し動作を行うべき動作回数として予め規定された回数であり、例えば、Ｓ７の所定回数が４回と定められている場合、Ｓ６の記録処理が４回行われるまでＳ７にてＮｏに進み、Ｓ４〜Ｓ６の計時処理及びＳ６の記録処理が繰り返される。
【００４２】
なお、図５では、カードＩＤが「１２３４５６」であるＩＣカードについて、図７のような４回の翳し動作（登録動作）が行われたときの記録例を示しており、１回目のＳ３〜Ｓ６において図８（ａ）のような翳し動作が行われ、検出部２１ｉ、２１ｊ、２１ｎ、２１ｐ、２１ｓ、２１ｔが１秒間遮光されたときの翳し動作内容が１回目のデータとして記録されている。また、２回目のＳ３〜Ｓ６において図８（ｂ）のような翳し動作が行われたときの翳し動作内容が２回目のデータとして記録され、３回目のＳ３〜Ｓ６において図９（ａ）のような翳し動作が行われたときの翳し動作内容が３回目のデータとして記録され、４回目のＳ３〜Ｓ６において図９（ｂ）のような翳し動作が行われたときの翳し動作内容が４回目のデータとして記録されている。
【００４３】
図４の登録処理が完了すると、その登録処理を行ったカードＩＤについての翳し動作パターンデータ（図５参照）が認証装置１０の記憶手段（図示略）に蓄積される。例えば、図５のデータは、カードＩＤが「１２３４５６」であるＩＣカード７について図８（ａ）（ｂ）、図９（ａ）（ｂ）のような登録動作（翳し動作）がなされたときの翳し動作パターンを記録したものであり、後述する認証処理では、同一のカードＩＤ（即ち、「１２３４５６」）のＩＣカード７によって同様の翳し動作（図８、図９）がなされたときに当該ＩＣカード７が認証されるようになっている。以下、認証処理について具体的に説明する。
【００４４】
図６に示す認証処理は、認証モード（通常運用モード）に設定されているときに行われる処理であり、当該認証処理では、まずカードＩＤ読出し判断処理を行う（Ｓ１０）。このＳ１０の処理は、ユーザが認証装置１０にＩＣカード７を翳す登録操作を行ったか否か、及びＩＣカードリーダ１３がその翳されたＩＣカード７からカードＩＤを読み取ったか否かを判断する処理である。ＩＣカードリーダ１３によってＩＣカード７のカードＩＤが取得されたときにはＳ１０にてＹｅｓに進み、その取得したカードＩＤが当該認証装置１０の記憶手段（図示略）に登録されているか否かを検索するサーチ処理を行う（Ｓ１１）。
【００４５】
Ｓ１０で読み出したカードＩＤが登録されていない場合にはＳ１２にてＮｏに進み当該認証処理を終了する。一方、カードＩＤが登録されている場合にはＳ１２にてＹｅｓに進む。例えば、認証処理を行おうとするＩＣカード７のカードＩＤが「１２３４５６」であり、図５のようなデータが既に登録されている場合には、Ｓ１１の処理にて当該データが検索されるためＳ１２にてＹｅｓに進むこととなる。
【００４６】
Ｓ１２にてＹｅｓに進む場合には、翳し動作回数Ｎを０にリセットする処理を行う（Ｓ１３）。そして、検出装置２０に対してＩＣカード７の翳し動作が行われているか否かを判断する（Ｓ１４）。Ｓ１４の判断は、検出部２１ａ〜２１ｖのいずれかから遮光状態を示す信号（即ち、上述の閾値Ｓｖ以下の信号）が出力されているか否かを判断することによって行われ、いずれかの検出部から閾値Ｓｖ以下の信号が出力されている場合にはＳ１４にてＹｅｓに進み、回数Ｎをインクリメントする（Ｓ１５）。
【００４７】
その後、閾値Ｓｖ以下の信号を発している検出部数（遮光センサ数）と、それら閾値Ｓｖ以下の信号を発している検出部の固有情報（該当センサＮｏ）とを検出し、Ｓ１０で読み出されたカードＩＤについてのＮ回目のデータと照合する。例えば、カードＩＤが「１２３４５６」であるＩＣカード７について現在１回目の処理を行っている場合（即ちＮ＝１）、現在閾値Ｓｖ以下の信号を発している検出部数（遮光センサ数）と、それら閾値Ｓｖ以下の信号を発している検出部の固有情報（該当センサＮｏ）とを検出し、「１２３４５６」に係るカードＩＤについての１回目の記録データと照合する。１回目についての記録データが図５のような構成の場合、１回目（Ｎ＝１）のときにＳ１６で遮光が検出された検出部数が６であり、遮光が検出された検出部の番号が９、１０、１３、１４、１７、１８であれば遮光センサ数及び該当センサＮｏのいずれも合致しているといえるため、このような場合にはＳ１６にてＹｅｓに進む。一方、遮光センサ数或いは該当センサＮｏのいずれかが合致していない場合にはＳ１６にてＮｏに進む。なお、図６の例では、遮光センサ数及び該当センサＮｏが合致するまでＳ１６の処理が繰り返されるが、一定時間合致しない場合にエラー情報を報知して当該認証処理を終了するようにしてもよい。
【００４８】
Ｓ１６にてＹｅｓに進む場合、計時処理を開始する（Ｓ１７）。この計時処理はＮ回目のデータとして登録されている所定時間を超えるまで継続し、所定時間を超えた場合にＳ１８にてＹｅｓに進む。例えば、現在が１回目（Ｎ＝１）であり、図５のように「１２３４５６」に係るカードＩＤの１回目の記録データとして「１ｓ」が登録されている場合、Ｓ１８では、番号が９、１０、１３、１４、１７、１８である検出部（即ち、検出部２１ｉ、２１ｊ、２１ｎ、２１ｐ、２１ｓ、２１ｔ）について１ｓ間遮光状態が継続するか否かを判断する。なお、Ｓ１８の判断基準となる「所定時間」を超える前に検出部２１ｉ、２１ｊ、２１ｎ、２１ｐ、２１ｓ、２１ｔの遮光状態が解除された場合、エラー情報を報知して当該認証処理を終了するようにしてもよい。
【００４９】
Ｓ１８にてＹｅｓに進む場合、所定回数に達したか否かを判断する。この「所定回数」は、図４に示す登録処理で翳し動作が行われた回数であり、図５のようにカードＩＤと対応付けて記録されている。Ｓ１９では、Ｓ１０で読み出されたカードＩＤについて登録されている操作回数（図５の例では４回）を読み出し、現在の回数Ｎがその登録されている操作回数に達しているか否かを判断する。現在の回数Ｎが「所定回数」に達していない場合にはＳ１９にてＮｏに進みＳ１４以降の処理を繰り返す。一方、「所定回数」に達している場合にはＳ１９にてＹｅｓに進み当該認証処理を終了する。
【００５０】
なお、本実施形態では図６に係る認証処理を実行する制御部１２及び検出部２１ａ〜２１ｖが「対向領域検出手段」の一例に相当し、認証装置１０に翳されたＩＣカード７（通信対象）における検出領域ＡＲに向かい合う対向領域を検出するように機能する。また、この制御部１２は、「動作パターン検出手段」の一例に相当し、検出される対向領域の変化に基づいてＩＣカード７（通信対象）の翳し動作パターンを検出するように機能する。また、制御部１２は、「判断手段」の一例に相当し、検出された翳し動作パターンが所定パターンであるか否かを判断する機能を有する。更に、認証手段に相当する認証装置１０は、上記「動作パターン検出手段」によって検出された翳し動作パターンが、所定パターンであると判断された場合にＩＣカード７（通信対象）を認証するように機能する。
【００５１】
また、図６の認証処理では、検出される対向領域の大きさ及び位置の変化に基づいて通信対象の翳し動作パターンを検出している。即ち、Ｓ１６で検出し判断処理に用いている遮光センサ数（閾値Ｓｖ以下の信号を発している検出部の数）はＩＣカード７の対向領域（検出領域ＡＲに対向する領域）の面積を反映するものであり、本実施形態ではこのように遮光センサ数を検出することでＩＣカード７における対向領域の面積を算出している。また、Ｓ１６で検出している該当センサＮｏ（閾値Ｓｖ以下の信号を発している検出部の固有情報）は、ＩＣカード７における対向領域の位置を反映するものであり、該当センサＮｏによってこの対向領域の位置を把握できるようになっている。
【００５２】
例えば、図８（ａ）では、１回目の翳し動作が行われたときのＩＣカード７の位置を破線７'で概念的に示し、このＩＣカード７の対向領域を太線ＡＲ１にて概念的に示しており、この対向領域ＡＲ１の面積の度合が遮光センサ数（図８（ａ）では６）で表され、対向領域ＡＲ１の位置が遮光センサＮｏ（９、１０、１３、１４、１７、１８）で表されるようになっている。同様に、図８（ｂ）では、２回目の翳し動作が行われたときのＩＣカード７の位置を破線７'で概念的に示し、このＩＣカード７の対向領域を太線ＡＲ２にて概念的に示しており、この対向領域ＡＲ２の面積の度合が遮光センサ数（図８（ｂ）では８）で表され、対向領域ＡＲ２の位置が遮光センサＮｏ（６、７、１０、１１、１４、１５、１８、１９）で表されるようになっている。また、図９（ａ）では、３回目の翳し動作が行われたときのＩＣカード７の位置を破線７'で概念的に示し、このＩＣカード７の対向領域を太線ＡＲ３にて概念的に示しており、この対向領域ＡＲ３の面積の度合が遮光センサ数（図９（ａ）では６）で表され、対向領域ＡＲ３の位置が遮光センサＮｏ（３、４、７、８、１１、１２）で表されるようになっている。更に、図９（ｂ）では、４回目の翳し動作が行われたときのＩＣカード７の位置を破線７'で概念的に示し、このＩＣカード７の対向領域を太線ＡＲ４にて概念的に示しており、この対向領域ＡＲ４の面積の度合が遮光センサ数（図９（ｂ）では４）で表され、対向領域ＡＲ４の位置が遮光センサＮｏ（１５、１６、１９，２０）で表されるようになっている。なお、図１０では、図８、図９の翳し動作が行われたときのＩＣカード７の変化を破線にて示し、対向領域の変化をハッチングにて示しており、本実施形態ではこのような対向領域の変化を特定するデータを翳し動作パターンデータとして登録している（図５参照）。
【００５３】
また、図６の認証処理では、Ｓ１４〜Ｓ１８の処理が複数回行われるようになっており、各回ごとに変化する対向領域の各状態ごとの位置及び大きさ（即ち、各回毎の遮光センサ数及び該当センサＮｏ）と、各状態が維持される維持時間（即ち、Ｓ１６で合致する遮光センサ数及び該当センサＮｏが維持される維持時間）とに基づいて翳し動作パターンを検出している。なお、制御部１２は、「維持時間検出手段」の一例に相当し、Ｓ１７、Ｓ１８で説明したように、変化する対向領域についての各状態ごとの維持時間を検出するように機能している。
【００５４】
また、本実施形態では、複数の検出部２１ａ〜２１ｖにおける２以上の検出部によって、変化する対向領域の各状態を検出しうる構成をなしており、変化する対向領域のいずれかの状態を検出する２以上の検出部の少なくとも一部を、他の状態の検出に兼用できるようになっている。例えば、図８（ａ）（ｂ）の例では、１回目の対向領域ＡＲ１の状態を検出する検出部２１ｉ、２１ｊ、２１ｎ、２１ｐ、２１ｓ、２１ｔの一部の検出部２１ｊ、２１ｐ、２１ｔが２回目の対向領域ＡＲ２の状態検出に兼用されている。
【００５５】
本実施形態の構成によれば、例えば以下のような効果を奏する。
本実施形態に係る認証装置１０は、ＩＣカード７（通信対象）における対向領域（検出領域ＡＲに対向する領域）を検出し、検出される対向領域の変化に基づいてＩＣカード７の翳し動作パターンを検出しており、この構成によれば、ＩＣカード７に対してどのような翳し動作がなされたかをより精度高く検出できる。更に、その検出された翳し動作パターンが所定パターン（同一カードによって登録処理で予め登録されているパターン）であるか否かを判断し、所定パターンであると判断された場合にＩＣカード７を認証している。このようにすると、キー入力部を設けることなく認証システムを構築でき、装置構成の小型化を図りやすくなる。また、単に翳された方向のみを検出するのではなく、翳し動作パターンを検出しこれを認証に用いているため、翳し方向のみによって判定する構成と比較して偶然の一致をより低くすることができ、セキュリティ性を効果的に高めることができる。
【００５６】
また、検出される対向領域の大きさ及び位置の変化に基づいてＩＣカード７の翳し動作パターンを検出している。このように対向領域の大きさ及び位置の変化によって翳し動作パターンを把握する構成とすると、第三者（予め定められた「所定パターン」を知らない者）の翳し動作が所定パターンと偶然に一致する可能性を極めて低くすることができ、セキュリティ性をより一層高めることができる。
【００５７】
また、複数の検出部２１ａ〜２１ｖが設けられると共にこれら複数の検出部２１ａ〜２１ｖが散在する領域が検出領域ＡＲとされている。また、検出部は、当該検出部に対してＩＣカード７が対向したときに検出信号を出力するように構成されている。このようにすると、大掛かりな構成を用いることなく対向領域の変化をより精度高く検出できるようになる。
【００５８】
また、検出部２１ａ〜２１ｖはいずれも、外部からの光を受光する受光部からなり、この受光部は、当該受光部に入射する光がＩＣカード７によって遮られたときに検出信号を出力する構成をなしている。このようにすると、非接触通信を行うときに必要な動作の性質（即ち非接触通信媒体が検出領域に近接して検出領域を遮光するという性質）を利用して対向領域の変化を簡易且つ良好に検出できるようになる。
【００５９】
また、対向領域を検出した検出部の数に基づいて当該対向領域の面積を算出し、このように算出される面積の変化に基づいてＩＣカード７の翳し動作パターンを検出している。このようにすると、大掛かりな構成や複雑な構成を用いることなく対向領域の位置をより正確に特定でき、規定された動作がなされたか否かをより精度高く判断できる。
【００６０】
また、複数の検出部２１ａ〜２１ｖにそれぞれ固有情報が対応付けられており、対向領域を検出した検出部の固有情報に基づいて、対向領域の大きさ及び位置を特定している。このようにすると、対向領域の大きさや位置を簡易かつ迅速に特定でき、ひいては翳し動作パターンを簡易かつ迅速に検出できる。
【００６１】
また、変化する対向領域についての各状態ごとの維持時間を検出しており、変化する対向領域の各状態ごとの位置及び大きさと、各状態が維持される維持時間とに基づいて翳し動作パターンを検出している。このように、位置や大きさのみならず、各状態の維持時間をも判断要素とすれば、複雑な構成や大掛かりな構成を用いることなく翳し動作のバリエーションをより増やすことができ、セキュリティ性をより一層高めることができる。
【００６２】
また、複数の検出部２１ａ〜２１ｖにおける２以上の検出部によって、変化する対向領域の各状態を検出する構成をなしており、変化する対向領域のいずれかの状態を検出する２以上の検出部の少なくとも一部が、他の状態の検出に兼用されている。このようにすると、対向領域についてのより小さな位置変化を検出できるようになり、規定された動作がなされたか否かをより精度高く判断できる。
【００６３】
次に、第２実施形態について説明する。図１１は、第２実施形態の認証装置で行われる登録処理を例示するフローチャートであり、図１２は、図１１の登録処理で記録されたデータ構成を例示する説明図である。図１３は、第２実施形態の認証装置で行われる認証処理を例示刷るフローチャートである。なお、第２実施形態に係る認証装置のハードウェア構成は第１実施形態と同一であり、本実施形態では、登録処理、登録されたデータ構成、認証処理がそれぞれ第１実施形態の図４、図５、図６と異なっている。なお、第１実施形態と同一のハードウェア構成をなす部分については適宜図１〜図３を参照して説明し、説明においては第１実施形態と同一の符号を用いることとする。
【００６４】
まず、図１１を参照し、第２実施形態の認証装置１０で行われるユーザ登録処理を説明する。このユーザ登録処理も、認証装置１０がユーザ登録モードに設定されているときに実行される処理である。
【００６５】
図１１に示すように、ユーザ登録処理が開始されると、まずカードＩＤ読出し判断処理が行われる（Ｓ１０１）。このＳ１０１の処理は、図４のＳ１と同様の処理である。そして、ＩＣカードリーダ１３によってＩＣカード７のカードＩＤが取得されたときにはＳ１０１にてＹｅｓに進み、その取得したカードＩＤの登録処理を行う（Ｓ１０２）。この登録処理は、図４のＳ２と同様の処理である。
【００６６】
その後、検出装置２０に対して翳し動作がなされているか否かを判断する処理を行う（Ｓ１０３）。このＳ１０３の処理は、図４のＳ３と同様であり、検出部２１ａ〜２１ｖのいずれかから閾値Ｓｖ以下の信号が出力されている場合にはＳ１０３にてＮｏに進み、ＩＣカード７が翳されている時間を計測する処理（以下、計時処理ともいう）を開始する（Ｓ１０４）。そして、ＩＣカード７の翳し動作が行われなくなるまでＳ１０５の処理を繰り返し、翳し動作が行われなくなったとき（即ち、全検出部の信号が閾値Ｓｖ以上となったとき）、Ｓ１０５にてＹｅｓに進み、Ｓ１０６の記録処理を行う。
【００６７】
Ｓ１０６では、計時処理を停止し、Ｓ１０４の計時処理開始からその計時処理停止までに計測された時間（即ち、ＩＣカード７が検出装置２０に翳されていた時間）を記録する。たとえば、Ｓ１０４の計時処理開始からＳ１０６の計時停止までの時間が１ｓであれば、この１ｓというデータを当該認証装置２０の記憶手段（図示略）に記録する。
【００６８】
Ｓ１０６では、更にＳ１０３〜Ｓ１０５までの翳し動作中の対向領域の面積を記録する。具体的には、Ｓ１０３〜Ｓ１０５までの翳し動作中に遮光されていた検出部の数（遮光センサ数）を記録する。例えば、図８（ａ）のように、検出部２１ｉ、２１ｊ、２１ｎ、２１ｐ、２１ｓ、２１ｔが遮光された場合、遮光検出部数は「６」であるので、この「６」という情報を上述の計測時間と対応付けて記憶手段に記憶する。
【００６９】
その後、Ｓ１０６の記録が所定回数行われたか否かを判断し（Ｓ１０７）、所定回数行われていない場合にはＳ１０７にてＮｏに進み、回数をインクリメントしてＳ１０３以降の処理を繰り返す。一方、Ｓ１０６の記録が所定回数行われた場合にはＳ１０７にてＹｅｓに進み当該処理を終了する。なお、Ｓ１０７の判断基準となる「所定回数」は、図４のＳ７と同様に規定された回数（即ち、登録処理において翳し動作を行うべき動作回数として予め規定された回数）であり、例えば、Ｓ１０７の所定回数が４回と定められている場合、Ｓ１０６の記録処理が４回行われるまでＳ１０７にてＮｏに進み、Ｓ１０４〜Ｓ１０６の計時処理及びＳ１０６の記録処理が繰り返される。
【００７０】
なお、図１２では、カードＩＤが「１２３４５６」であるＩＣカードについて、図７のような４回の翳し動作（登録動作）が行われたときの記録例を示しており、１回目のＳ１０３〜Ｓ１０６において図８（ａ）のような翳し動作が行われ、検出部２１ｉ、２１ｊ、２１ｎ、２１ｐ、２１ｓ、２１ｔが１秒間遮光されたときの翳し動作内容が１回目のデータとして記録されている。なお、この場合、面積１として「６」という値が記録される。また、２回目のＳ１０３〜Ｓ１０６において図８（ｂ）のような翳し動作が行われたときの翳し動作内容が２回目のデータとして記録され（この場合、面積２は「８」）、３回目のＳ１０３〜Ｓ１０６において図９（ａ）のような翳し動作が行われたときの翳し動作内容が３回目のデータとして記録され（この場合、面積３は「６」）、４回目のＳ１０３〜Ｓ１０６において図９（ｂ）のような翳し動作が行われたときの翳し動作内容が４回目のデータとして記録されている（この場合、面積４は「４」）。
【００７１】
図１１の登録処理が完了すると、その登録処理を行ったカードＩＤについての翳し動作パターンデータ（図１２参照）が認証装置１０の記憶手段（図示略）に蓄積される。例えば、図１２のデータは、カードＩＤが「１２３４５６」であるＩＣカード７について図８（ａ）（ｂ）、図９（ａ）（ｂ）のような登録動作（翳し動作）がなされたときの翳し動作パターンを記録したものであり、後述する認証処理では、同一のカードＩＤ（即ち、「１２３４５６」）のＩＣカード７によって同様の翳し動作（図８、図９）がなされたときに当該ＩＣカード７が認証されるようになっている。以下、認証処理について具体的に説明する。
【００７２】
図１３に示す認証処理は、認証モード（通常運用モード）に設定されているときに行われる処理であり、当該認証処理では、まずカードＩＤ読出し判断処理を行う（Ｓ２０１）。このＳ２０１の処理は、図６のＳ１０と同様であり、ＩＣカードリーダ１３によってＩＣカード７のカードＩＤが取得されたときにはＳ２０１にてＹｅｓに進み、その取得したカードＩＤが当該認証装置１０の記憶手段（図示略）に登録されているか否かを検索するサーチ処理を行う（Ｓ２０２）。このＳ２０２の処理は図６のＳ１１と同様である。
【００７３】
Ｓ２０１で読み出したカードＩＤが登録されていない場合にはＳ２０３にてＮｏに進み当該認証処理を終了する。一方、カードＩＤが登録されている場合にはＳ２０３にてＹｅｓに進む。例えば、認証処理を行おうとするＩＣカード７のカードＩＤが「１２３４５６」であり、図１２のようなデータが既に登録されている場合には、Ｓ１１の処理にて当該データが検索されるためＳ２０３にてＹｅｓに進むこととなる。
【００７４】
Ｓ２０３にてＹｅｓに進む場合には、翳し動作回数Ｎを０にリセットする処理を行う（Ｓ２０４）。そして、検出装置２０に対してＩＣカード７の翳し動作が行われているか否かを判断する（Ｓ２０５）。Ｓ２０５の処理は、図６のＳ１４と同様であり、検出部２１ａ〜２１ｖのいずれかから閾値Ｓｖ以下の信号が出力されている場合にはＳ２０５にてＹｅｓに進み、回数Ｎをインクリメントする（Ｓ２０６）。
【００７５】
その後、面積が合致しているか否かの判断処理を行う（Ｓ２０７）。Ｓ２０７では、閾値Ｓｖ以下の信号を発している検出部数（遮光センサ数）を検出し、Ｓ２０１で読み出されたカードＩＤについてのＮ回目のデータと照合する。例えば、カードＩＤが「１２３４５６」であるＩＣカード７について現在１回目の処理を行っている場合（即ちＮ＝１）、現在閾値Ｓｖ以下の信号を発している検出部数（遮光センサ数）を検出し、「１２３４５６」に係るカードＩＤについての１回目の記録データと照合する。記録データが図１２のような構成で面積１が「６」の場合、１回目（Ｎ＝１）のＳ２０７の処理において遮光が検出された検出部数が「６」であれば遮光センサ数が合致しており、面積が合致しているといえるため、このような場合にはＳ２０７にてＹｅｓに進む。一方、遮光センサ数が合致していない場合にはＳ２０７にてＮｏに進む。なお、図１３の例では、遮光センサ数が合致するまでＳ２０７の処理が繰り返されるが、一定時間合致しない場合にエラー情報を報知して当該認証処理を終了するようにしてもよい。
【００７６】
Ｓ２０７にてＹｅｓに進む場合、計時処理を開始する（Ｓ２０８）。この計時処理はＮ回目のデータとして登録されている所定時間を超えるまで継続し、所定時間を超えた場合にＳ２０９にてＹｅｓに進む。例えば、現在が１回目（Ｎ＝１）であり、図１２のように「１２３４５６」に係るカードＩＤの１回目の記録データとして「１ｓ」が登録されている場合、Ｓ２０９では、面積１（即ち検出部数が「６」）の状態で１ｓ間遮光状態が継続するか否かを判断する。なお、Ｓ２０９の判断基準となる「所定時間」を超える前に面積１の状態（検出部数「６」の状態）が解除された場合、エラー情報を報知して当該認証処理を終了するようにしてもよい。
【００７７】
Ｓ２０９にてＹｅｓに進む場合、所定回数に達したか否かを判断する（Ｓ２１０）。この「所定回数」は、図１１に示す登録処理で翳し動作が行われた回数であり、図１２のようにカードＩＤと対応付けて記録されている。Ｓ２１０では、Ｓ２０１で読み出されたカードＩＤについて登録されている操作回数（図１２の例では４回）を読み出し、現在の回数Ｎがその登録されている操作回数に達しているか否かを判断する。現在の回数Ｎが「所定回数」に達していない場合にはＳ２１０にてＮｏに進みＳ２０５以降の処理を繰り返す。一方、「所定回数」に達している場合にはＳ２１０にてＹｅｓに進み当該認証処理を終了する。
【００７８】
なお、本実施形態でも図１３に係る認証処理を実行する制御部１２及び検出部２１ａ〜２１ｖが「対向領域検出手段」の一例に相当し、認証装置１０に翳されたＩＣカード７（通信対象）における検出領域ＡＲに向かい合う対向領域を検出するように機能する。また、この制御部１２は、「動作パターン検出手段」の一例に相当し、検出される対向領域の変化に基づいてＩＣカード７（通信対象）の翳し動作パターンを検出するように機能する。また、制御部１２は、「判断手段」の一例に相当し、検出された翳し動作パターンが所定パターンであるか否かを判断する機能を有する。更に、「認証手段」に相当する認証装置１０は、上記「動作パターン検出手段」によって検出された翳し動作パターンが、所定パターンであると判断された場合にＩＣカード７（通信対象）を認証するように機能する。
【００７９】
また、本実施形態では、検出される対向領域の位置変化を考慮せず、対向領域の大きさの変化（面積の変化）に基づいてＩＣカード７の翳し動作パターンを検出している。
【００８０】
また、本実施形態では、Ｓ２０５〜Ｓ２０９の処理が複数回行われるようになっており、各回ごとに変化する対向領域の各状態ごとの大きさ（即ち、各回毎の遮光センサ数）と、各状態が維持される維持時間（即ち、Ｓ２０７で合致する遮光センサ数が維持される維持時間）とに基づいて翳し動作パターンを検出している。
【００８１】
［他の実施形態]
本発明は上記記述及び図面によって説明した実施形態に限定されるものではなく、例えば次のような実施形態も本発明の技術的範囲に含まれる。
【００８２】
第１実施形態では、図４に示すように、登録のための翳し動作回数が予め規定されていたが、登録のための翳し動作回数をユーザが任意に定めるようにしてもよい。これを実現するためには、例えば、図４のＳ７の判断処理の代わりに所定の終了処理が行われたか否か（例えば、一定時間翳し動作が解除されたか、所定の操作ボタンが押されたか等）を判断する判断処理を設けるようにすればよい。
【図面の簡単な説明】
【００８３】
【図１】図１（ａ）は、第１実施形態に係る認証装置を用いたドア管理システムを例示する説明図であり、図１（ｂ）は、図１（ａ）のドア管理システムのブロック図である。
【図２】図２は、第１実施形態に係る認証装置を概略的に説明する説明図である。
【図３】図３は、図２の認証装置の検出部付近を概略的に説明する説明図である。
【図４】図４は、ユーザ登録処理を例示するフローチャートである。
【図５】図５は、図４のユーザ登録処理によって登録されたデータ構成を例示する説明図である。
【図６】図６は、認証処理を例示するフローチャートである。
【図７】図７は、各受光部の固有情報等を説明する説明図である。
【図８】図８は、ユーザによる翳し動作の一例を説明する説明図であり、（ａ）は、第１回目の翳し動作と検出領域との関係を説明する説明図であり、（ｂ）は第２回目の翳し動作と検出領域との関係を説明する説明図である。
【図９】図９は、図８に続く翳し動作を説明する説明図であり、（ａ）は、第３回目の翳し動作と検出領域との関係を説明する説明図であり、（ｂ）は第４回目の翳し動作と検出領域との関係を説明する説明図である。
【図１０】図１０は、対向領域の変化を説明する説明図である。
【図１１】図１１は、第２実施形態に係る認証装置で行われるユーザ登録処理を例示するフローチャートである。
【図１２】図１２は、図１１のユーザ登録処理で記録されたデータ構成を説明する説明図である。
【図１３】図１３は、第２実施形態に係る認証装置で行われる認証装置を例示するフローチャートである。
【符号の説明】
【００８４】
１…ドア管理システム
７…ＩＣカード（通信対象）
１０…認証装置
１２…制御部（認証手段、対向領域検出手段、動作パターン検出手段、判断手段、維持時間検出手段）
１３…ＩＣカードリーダ（読出手段）
２１ａ〜２１ｖ…検出部（受光部、対向領域検出手段）
ＡＲ…検出領域
ＡＲ１〜ＡＲ４…対向領域
【図１】
2010090582.tif 000003
【図２】
2010090582.tif 000004
【図３】
2010090582.tif 000005
【図４】
2010090582.tif 000006
【図５】
2010090582.tif 000007
【図６】
2010090582.tif 000008
【図７】
2010090582.tif 000009
【図８】
2010090582.tif 000010
【図９】
2010090582.tif 000011
【図１０】
2010090582.tif 000012
【図１１】
2010090582.tif 000013
【図１２】
2010090582.tif 000014
【図１３】
2010090582.tif 000015